(57)【要約】【課題】  簡単に設置でき、高さの異なる木にも対応ができ、不要になったとき、分解することなく、楽に畳んで収納することができ、また次のシーズンも繰り返し使用することのできる雪囲いを提供する。【解決手段】  支柱を通す穴が３〜４個穿けられた、肉厚のゴム板で作られた支柱結束用のゴム製結束具に、長さ１〜２ｍの支柱３〜４本をゴム製結束具から数ｃｍ頭が出るようにして通して、束にしたものを用意し、支柱をそれぞれの開き角ほぼ６０度になるように傘状に広げ、それに防雪網を被せる。防雪網は予め角錐の頂部を切り取ったスカート状に形作っておき、傘状に広げた支柱に被せた後、防雪網と支柱を一体化するために、長さ５〜１０ｃｍのＵ字形をした樹脂製の留め具を、防雪網の上から防雪網と一緒に支柱に嵌め固定する。【選択図】図１
0003133981.tif 000002
【実用新案登録請求の範囲】
【請求項１】
厚さ１ｃｍ程、直径５〜８ｃｍのゴム板に支柱を通すための直径６〜２０ｍｍの穴を３〜４個穿けた支柱結束用具に、直径６〜２０ｍｍ、長さ１〜２ｍの丸棒又はパイプ製の支柱を、穴毎に頭が数ｃｍ出るように差し込んで束にしてあり、それら支柱をそれぞれの開き角が３０〜６０度になるように傘状に広げた時、それに丁度密着して被せることのできる円錐あるいは角錐の頂部を切り取った、辺の長さ７０ｃｍ〜１ｍのスカート状の防雪網を支柱に被せ、長さ５〜１０ｃｍのＵ字形の樹脂製の固定具を防雪網の上から支柱に嵌めて一体化し、庭木の上に覆い被せて地面に固定して、雪害から木を守るために使用でき、不要になった折は簡単に畳んで収納できることを特徴とする雪囲い。
【請求項２】
支柱を広げて地面に立てたとき、支柱が地面につく足部が地面に対してほぼ鉛直に向くように、支柱下部を内側に約３０度曲げてあり、必要に応じてはその部分に５０ｃｍ〜１ｍの任意の長さのパイプを継ぎ足して背を高くして使用することもできるようにしてあることを特徴とする請求項１記載の雪囲い。
【請求項３】
厚さ５ｍｍ程のゴム板、あるいは厚手の丈夫な布製で面積５ｃｍｘ８ｃｍ程のものに支柱を通すための直径６〜２０ｍｍの穴とアンカーピンを通すための直径６ｍｍ程の穴を開けたものをそれぞれの支柱の足部に嵌めてあることを特徴とする請求項１、２記載の雪囲い。
【考案の詳細な説明】
【技術分野】
【０００１】  積雪に備えて庭木などを保護する目的で行う雪囲い部材に関する。
【背景技術】
【０００２】  積雪地帯において冬季、庭木に雪が積もりその重みで枝が折れたりするのを防ぐために降雪期の前に、庭木に添え木をして縄で縛ったり、わら筵をかけて巻いたり、様々な方法がこうじられていたが、それはもっぱら庭師の仕事であった。【０００３】  ところが近年庭師の工賃が高くなり、また庭師そのものの数が減ってくるにつれ、各家庭で庭木の雪囲いをしなければならなくなったが、部材の調達から具体的な作業にいたるまで、なれないためなかなかうまく行かなかった。【０００４】  雪囲いを行うための部材を予め組み合わせたもの、が提案されている。例えば４本の支柱上部を結束し、傘状に広げてその上から４角錐になるように縫い合わせた網を被せて紐で支柱に結びつけるという雪囲いがある。（実開平０６−０６４４４７）【０００５】  しかるに該考案の雪囲いは支柱同志を紐でいちいち結束しなければならず、網も紐で支柱に結び付けなければならなかった。かつ背丈の低い潅木にしか適用できなかった。
【考案の開示】
【考案が解決しようとする課題】
【０００６】  簡単に設置でき、高さの異なる木にも対応ができ、不要になったとき、分解することなく、楽に畳んで収納することができ、また次のシーズンも繰り返し使用することのできる雪囲いを提供する。
【課題を解決するための手段】
【０００７】  本考案は上記問題に鑑みてなされたものであり、支柱を通す穴が複数個穿けられた肉厚のゴム板で作られた支柱結束用のゴム製結束具に、長さ１〜２ｍの支柱３〜４本をゴム製結束具から数ｃｍ頭が出るようにして通して、束にしたものを用意する。支柱をそれぞれの開き角が３０〜６０度になるように傘状に広げ、それに次に述べる防雪網を被せる。【０００８】  防雪網は予め角錐の頂部を切り取ったスカート状に形作っておき、傘状に広げた支柱に被せた後、防雪網と支柱を一体化するために、Ｕ字形をした樹脂製の留め具を、防雪網の上から防雪網と一緒に支柱に嵌め固定する。【０００９】  またこの雪囲いを地面に設置する際に、支柱足部が地面に対して鉛直に向くように、支柱下部１０〜２０ｃｍを内側に約３０度折り曲げておくと、支柱下部が横に出っ張らず、歩く時邪魔にならない。かつ背の高い庭木に対応する必要が生じた時に、支柱を長く延長する場合も、一定の長さのパイプをその折れ曲がった部分に差し込むだけで、背を高くできるので便利である。
【考案の効果】
【００１０】  以上述べてきたように本考案の雪囲いは、支柱を予めゴム製の支柱結束具で束ねてあり、防雪網も被せて固定してあるので、使用に際してはそれを傘状に開いて雪囲いをするべき庭木を覆って支柱を地面に固定して作業は完了する。作業そのものは素人でも簡単に行うことができる。
【考案を実施するための最良の形態】
【００１１】  長さ１〜２ｍの支柱３〜４本結束するために、厚さ１ｃｍ程、直径８ｃｍ程のゴム板に支柱を通す直径１５ｍｍ程の穴を支柱の数だけ穿けた支柱結束具を用意し、それに支柱を頭部がほぼ５ｃｍ出るように差し込んで束にしておく。【００１２】  それぞれの支柱間の開き角が６０度ぐらいになるように傘状に開いたものに、丁度密接して被せられるよう、頂上部を切り取った角錐形でスカート状の、長さが１ｍぐらいの防雪網を用意しておき傘状に広げた支柱に被せ、支柱と防雪網を一体化するために、長さ５〜１０ｃｍのＵ字形をした樹脂製の留め具を、防雪網の上から防雪網と一緒に支柱に嵌めて固定する。
【実施例１】
【００１３】  本考案の雪囲いを図面に基づいて説明すると、図１は全体を示す斜視図で、ゴム製の結束具１に長さ１．５ｍの１６φ鉄パイプ製の支柱２を通し、それぞれの支柱間の開き角を６０度程にして傘状に開き、それに丁度密着して被せることのできる形に作り上げた防雪網３を被せ、防雪網を支柱に固定するために、防雪網の裾で支柱に接する部分を防雪網の上から包み込むように、長さ５ｃｍの樹脂製の留め具４（パッカー）を支柱に嵌めて止める。【００１４】  防雪網は角錐又は円錐の頂部を切り取った形にしてあるが、角錐の場合の展開図を図２に示してある。六角形の半分の形をしており、一辺Ｂの長さはほぼ１ｍである。Ａ、Ａ’を接合すると三角錐の頂部の取れた形になりＢが裾部分になる。【００１５】  ゴム製の結束具１が図３に示してある。厚さ１ｃｍ、直径８ｃｍのゴム製円板に直径１６ｍｍの穴が支柱を通すために３個穿けてある。【００１６】  図１に示すように、この雪囲い全体を地面に固定するために、支柱の足にアンカー板５を取り付け、アンカーピン６を地面に刺して固定する。アンカー板は５ｍｍ程の厚さのゴム板に支柱を通すための直径１６ｍｍの穴とアンカーピンを通すための直径６ｍｍの穴が穿けてある。
【実施例２】
【００１７】  支柱を拡げて地面に立てたとき、支柱の地面に着く足部が地面に対してほぼ鉛直に向くようにした実施例を図４に示してある。支柱の足部１０ｃｍ程７を内側に約３０度曲げてある。更に雪囲いを高くしたい場合は、支柱の足部７に内接あるいは外接することのできる、外径あるいは内径を持った一定の長さの延長パイプ８を継ぎ足して使用することもできる。地面に固定するためにアンカーピンを使用することは実施例１と同様である。
【産業上の利用可能性】
【００１８】    以上説明したように、本考案の雪囲いを使用すれば、素人でも簡単に設置、撤去でき、また延長パイプを継ぎ足すことにより、高さの異なる庭木に充分対応することができる。
【図面の簡単な説明】
【００１９】
【図１】雪囲い全体を示す斜視図。
【図２】防雪網の展開図。
【図３】支柱結束具
【図４】地面に対して支柱先端が鉛直に向かう雪囲いの斜視図。
【符号の説明】
【００２０】  １  支柱結束具
２  支柱
３  防雪網
４  留め具
５  アンカー板
６  アンカーピン
７  支柱足部
８  延長パイプ
【図１】
0003133981.tif 000003
【図２】
0003133981.tif 000004
【図３】
0003133981.tif 000005
【図４】
0003133981.tif 000006